(57)【要約】【課題】  流されてほしくない重要なものが津波で流されるという事態をなくすようにした津波対策装置を提供することを目的とする。【解決手段】  金庫やロッカーなどの重要保存対象物を津波の襲来から保護するための対策装置であって、重要保存対象物は、流失の危険の低い地盤や鉄骨構造部材などに備え付けた繋留手段につながれていることを特徴とする。【選択図】図１
2014198983.tif 000002
【特許請求の範囲】
【請求項１】
金庫やロッカーなどの重要保存対象物を津波の襲来から保護するための対策装置であって、重要保存対象物は、流失の危険の低い地盤や鉄骨構造部材などに備え付けた繋留手段につながれていることを特徴とする津波対策装置。
【発明の詳細な説明】
【技術分野】
【０００１】  本発明は、津波対策装置に関する。
【背景技術】
【０００２】  先般の大震災の津波襲来に先立って下記のような津波避難装置が提案されている。【０００３】
【特許文献１】  特開２００８−１４１１２
【発明の概要】
【発明が解決しようとする課題】
【０００４】  特許文献１に開示された津波避難装置によれば、津波から避難して助かるのであるが、避難したあと残された家屋は、津波からの被害を受けて壁や柱などが流され、木造家屋にあっては、土台と基礎しか残らずその他のものは全て流失して不明になっていた。流失したものの中には、重要で流失してはいけないものも含まれ、その後の生活に困ることになっていた。【０００５】  本発明は、このような問題を解決しようとするものであり、流されてほしくない金庫やロッカーなどの重要なものが津波で流失してしまうという事態を防止するようにした津波対策装置を提供することを目的とする。
【課題を解決するための手段】
【０００６】  本発明は上記目的を達成するため、請求項１に記載の発明は、金庫やロッカーなどの重要保存対象物を津波の襲来から保護するための対策装置であって、重要保存対象物は、流失の危険の低い地盤や鉄骨構造部材などに備え付けた繋留手段につながれていることを特徴とする。
【発明の効果】
【０００７】  上述したように本発明は、金庫やロッカーなどの重要保存対象物を津波の襲来から保護するための対策装置であって、重要保存対象物は、流失の危険の低い地盤や鉄骨構造部材などに備え付けた繋留手段につながれていることを特徴とするので、流されてほしくない重要なものが津波で流されるという事態をなくすようにした津波対策装置を提供することができる。
【図面の簡単な説明】
【０００８】
【図１】  本発明の一実施形態を示す津波対策装置の設置要領を示す縦断面図。
【図２】  図１のＩＩ−ＩＩ線矢視図。
【図３】  他の実施形態を示す縦断面図。
【図４】  他の実施形態を示す縦断面図。
【図５】  図４のＶ−Ｖ線矢視図。
【図６】  図４のＶＩ−ＶＩ線矢視図。
【発明を実施するための形態】
【０００９】  以下、本発明の一実施形態を説明する。各実施形態で説明する各案は関係する他の実施形態においても適用することができる。
図１および図２の木造家屋において、１は鉄筋コンクリート製の（べた）基礎で、同基礎１は、床下版部２と周壁部３及び仕切り壁部４とを有し、その外部には外地盤５が設けられている。この基礎１は、杭基礎や布基礎などでもよい。７は土台、８は大引き、９は根太を示し、根太９上には床板１０が敷設される一方、土台７上には柱や外壁１１などが設けられている。
【００１０】  １３は金庫（重要保存対象物）で、同金庫１３は、上下左右および背面の５面を分厚い壁として一体に備え前面を開放状にした金庫本体１４と、この金庫本体１４の前面開放部をヒンジ１５を介する支持により開閉自在とする扉１６とを有する。１７は開閉操作部、１８は４個所のブラケット付き脚車である。脚車１８は、ローラー式でなくゴムや合成樹脂などによる固定受台とすることもある。
【００１１】  前記金庫１３の底面には、図２に示すように平板により十字形に一体成形された固定プレート２０が止着具２１…により固着されている。この固定プレート２０は、図２の左欄のように扁平溝形材を十字形に形成したものにすれば盗難時のこじ剥がし力に強く対抗するものとなる。
この固定プレート２０の面内中央あるいは端部には、Ｕ字形をした金庫側アンカー２２が突設され、そのアンカー２２に、ピン挿脱により係脱式の接続金具２３ａを介してリンクチェーン（図２の右欄参照）やワイヤあるいは強力ロープなどの繋留手段２３の一端が脱着可能に係着されている。
【００１２】  繋留手段２３は、床板１０に明けられた通孔２４を介して床下に導かれ、その他端は図１に示すような固定アンカー２５に結合されている。この固定アンカー２５は、打込みアンカー２６により基礎１内に打込み固定された固定ブロック２７から突設されたものである。固定ブロック２７は、その重さゆえにそのまま設置しただけでも流れ難いが、打込みアンカー２６による固定により津波により流されにくいアンカーとなる。この固定ブロック２７に相当するブロックを基礎１と同時に形成することもできる。
【００１３】  尚、図１の右上欄に示すように、基礎１内において周壁部３と仕切り壁部４間または対向する仕切り壁部４間にターンバックルによる突張軸２９を配し、その軸周りに繋留手段２３の端部をつなぐようにしてもよい。突張軸２９は複数本にして複数条の繋留手段２３を介して金庫１３とつなぐことにより金庫１３の流失がより完全に防止されることになる。この複数本とする場合、互いに立体交差する関係に配備してもよい。
【００１４】  また、図１の右下欄に示すように、仕切り壁部４に通し穴３０を明け、この穴３０に係合具３１を備えた繋留手段２３を通して係合状態にしておけば簡易な作業で繋留手段２３の端部係合ができるし津波時の抜けのおそれもなくなる。係合具３１は、繋留手段２３の先端具で繋留手段２３の本体であるリンクチェーンなどに対して首曲して平行状にすることで穴３０には通るが穴３０の向こう側で図示のように直交状に戻すことで係合可能な金属等の強度のある棒材である。同係合具３１は、その外周にゴムなどの弾性質の緩衝材を被せておけば津波により引張力が働いてもその緩衝作用により損傷せず金庫１３の流失を喰い止める。繋留手段２３および係合具３１は複数本組設けて通し穴３０の１つあるいは複数に係合可能に構成してもよい。
【００１５】  さらに、３２は柱と土台とをつなぐホールダウン金物で、新築時あるいは後付けのいずれでもよいが、このホールダウン金物３２に繋留手段２３の他端をつないでもよい。この繋留手段２３は、図１に示すものとは別のものとしてもよい。
このようにホールダウン金物３２を配備しておけば土台上の家屋本体が流されにくいが、家屋の壁などが損傷して津波流が金庫１３を流失させることも考えられしかも津波襲来時には自宅を離れて一定期間避難しその間に盗難に遭うことも考えられ、そうしたことから金庫１３を繋留手段２３でしっかりとつないでおけばより津波にも盗難にも安全な金庫１３とすることができるものである。
【００１６】  図３は他の実施形態を示す。同実施形態は、固定プレート２０をなくしＵ字形の金庫側アンカー３４を金庫１３の底壁内に挿通しナット３５で固定するようにしたものである。
尚、図３の右欄の上側に示すように、金庫側アンカー３４は、アイボルト型にしたり、右欄の下側に示すように、複数本のアイボルトにて構成することもできる。
【００１７】  図４ないし図６は他の実施形態を示す。この実施形態は木造家屋についてのもので、１は鉄筋コンクリート製の（べた）基礎で、同基礎１は、床下版部２と周壁部３及び仕切り壁部４とを有し、その外部には外地盤５が設けられている。この基礎１は、杭基礎や布基礎などでもよい。７は土台、８は大引き、９は根太を示し、根太９上には床板１０が敷設される一方、土台７上には柱や外壁１１などが設けられている。
【００１８】  １３は金庫（重要保存対象物）で、同金庫１３は、上下左右および背面の５面を分厚い壁として一体に備え前面を開放状にした金庫本体１４と、この金庫本体１４の前面開放部をヒンジ１５を介する支持により開閉自在とする扉１６とを有する。１７は開閉操作部、１８は４個所のブラケット付き脚車である。脚車１８は、ローラー式でなくゴムや合成樹脂などによる固定受台とすることもある。
【００１９】  前記金庫１３の天面には、図５に示すように、折り曲げ状の前後端部３８ａを有する帯平板型の固定プレート（ズレ止め材）３８を設けて前後端部３８ａが金庫１３の前後に引っ掛かるようにしてその幅間に位置するように設置されている。この固定プレート３８の上面中央には、逆Ｕ字形をしその通孔が金庫の幅方向に対応して向くようにして通し具３９が一体化されており、この通し具３９には、長い繋留手段４０が通されている。
【００２０】  繋留手段４０は、リンクチェーンやワイヤあるいは強力ロープなどが使用され、この実施形態ではリンクチェーンとされているが、その一端４０ａは図６のように金庫１３の底面まで伸びる一方、他端４０ｂは図４のように床板１０に明けられた通孔２４を通じて床下に導かれるとともに固定アンカー２５に結合されている。固定アンカー２５は、打込みアンカー２６により基礎１内に打込み固定された固定ブロック２７から突設されたものである。
こうして導かれた繋留手段４０の途中４０ｃは、図６に示すように、繋留手段４０の前記一端４０ａとともにロック錠４１で係着されており、この係着位置が金庫１３の底域に特定されているので盗難に遭いにくいものである。
尚、図４の右欄に示すように、繋留手段４０には保護チューブ４２を被せて美観をよくしさらに防護効果を上げるようにしてもよい。
【符号の説明】
【００２１】  １…基礎  ２…床下版部  ３…周壁部  ４…仕切り壁部  ５…外地盤  ７…土台  １３…金庫（重要保存対象物）  ２２、３４…金庫側アンカー  ２３，４０…繋留手段  ２７…固定ブロック。
【図１】
2014198983.tif 000003
【図２】
2014198983.tif 000004
【図３】
2014198983.tif 000005
【図４】
2014198983.tif 000006
【図５】
2014198983.tif 000007
【図６】
2014198983.tif 000008